(57)【要約】【課題】トレイの引き出し操作でのトレイ脱落を確実に防止して、引き抜き時の着脱が容易に行われる引き出し装置及びその引き出し装置を具備する給送装置並びに画像形成装置を提供する【解決手段】被載置体（Ｐ）を載置する引き出しが可能なトレイ１と、上記トレイ１を装着する装着口２と、上記装着口２から装着された上記トレイ１を引き出し方向に案内する固定された案内部材３と、上記案内部材３の内側面に形成された上記トレイ１の抜け止めをする案内溝４とからなる。【選択図】　　　図１
2004131211.tif 000002
【特許請求の範囲】
【請求項１】
被載置体を載置して装置本体から引き出しが可能な引き出し装置において、被載置体を載置する引き出しが可能なトレイと、上記トレイを装着する装着口と、上記装着口から装着された上記トレイを引き出し方向に案内する固定された案内部材と、上記案内部材の内側面に形成された上記トレイの抜け止めをする案内溝とからなることを特徴とする引き出し装置。
【請求項２】
請求項１に記載の引き出し装置において、トレイは、被載置体を載置する載置部材と、上記載置部材の側壁部に一体的に固定された脚部材を備えることを特徴とする引き出し装置。
【請求項３】
請求項２に記載の引き出し装置において、脚部材は、上面の先端部側に突出して回動自在に支持されたコロ部材を備えることを特徴とする引き出し装置。
【請求項４】
請求項２又は３に記載の引き出し装置において、脚部材は、側面の先端部側に設けた凸形状の突起部を備えることを特徴とする引き出し装置。
【請求項５】
請求項４に記載の引き出し装置において、突起部は、脚部材と一体成型された凸形状であることを特徴とする引き出し装置。
【請求項６】
請求項４に記載の引き出し装置において、突起部は、脚部材の上面の先端部側に突出して回動自在のコロ部材を支持する支持軸の端部であることを特徴とする引き出し装置。
【請求項７】
請求項１、２、３、４、５又は６に記載の引き出し装置において、案内部材は、トレイの脚部材の上面側を案内する上面案内部材を備えることを特徴とする引き出し装置。
【請求項８】
請求項１、２、３、４、５、６又は７に記載の引き出し装置において、案内部材は、トレイの脚部材の下面を支持して案内する下面支持案内部材を備えることを特徴とする引き出し装置。
【請求項９】
請求項１、２、３、４、５、６、７又は８に記載の引き出し装置において、案内部材は、装着口の内側に回動自在のコロ部材を備えることを特徴とする引き出し装置。
【請求項１０】
請求項１、２、３、４、５、６、７、８又は９に記載の引き出し装置において、案内溝は、トレイの抜け止めをする下方向に屈曲する突き当て部を備えることを特徴とする引き出し装置。
【請求項１１】
請求項１、２、３、４、５、６、７、８、９又は１０に記載の引き出し装置において、案内溝は、装着口側から奥側の下斜め方向に後退してトレイの抜け止めを解除するスイッチバック軌道形状のスイッチバック軌道形状部を備えることを特徴とする引き出し装置。
【請求項１２】
請求項１乃至１１の何れか一項に記載の引き出し装置において、案内溝は、トレイを上斜め方向の装着口から引き出す引き出し形状部を備えることを特徴とする引き出し装置。
【請求項１３】
請求項１２に記載の引き出し装置において、引き出し形状部は、再度の突き当て部を備えることを特徴とする引き出し装置。
【請求項１４】
載置された被転写体を分離して給送する給送装置において、被転写体を積載して収納する収納部と、上記収納部に装着する請求項１乃至１３の何れか一項に記載の引き出し装置と、上記引き出し装置に載置された被転写体を分離して１枚ずつ給送する分離手段と、上記分離手段で１枚ずつに分離された被転写体を搬送して排出する搬送手段とからなることを特徴とする給送装置。
【請求項１５】
請求項１４に記載の給送装置において、収納部は、複数の引き出し装置を装着することを特徴とする給送装置。
【請求項１６】
載置して給送した被転写体にトナー画像を形成する画像形成装置において、トナー画像を形成するトナー画像形成手段と、上記トナー画像形成手段で形成したトナー画像を転写する被転写体を載置して給送する被転写体給送部と、上記被転写体給送部に装着する請求項１乃至１３の何れか一項に記載の引き出し装置とからなることを特徴とする画像形成装置。
【請求項１７】
請求項１６に記載の画像形成装置において、被転写体給送部は、複数の引き出し装置を装着することを特徴とする画像形成装置。
【発明の詳細な説明】
【０００１】
【発明の属する技術分野】
本発明は、引き出し装置、及び、その引き出し装置を具備する給送装置、並びに、画像形成装置に関し、詳しくは、被載置体を載置して装置本体から引き出しが可能な引き出し装置、及び、その引き出し装置を具備する載置された被転写体を分離して給送する給送装置、並びに、載置して給送した被転写体にトナー画像を形成する複写機、ファクシミリ装置、プリンタあるいはこれらの複合機等の画像形成装置に関する。
【０００２】
【従来の技術】
従来の引き出し装置、及び、その引き出し装置を具備する給送装置、並びに、画像形成装置の複写機、ファクシミリ装置、プリンタ等においては、その処理速度の高速化に伴い大型化して、画像形成手段に被転写体の転写用紙を供給する転写用紙供給装置も大容量化する傾向が増している。
それだけに、従来の画像形成装置の複写機、ファクシミリ装置、プリンタ等における転写用紙供給装置の引き出し装置は、引き出し操作での被転写体の転写用紙を載置する給紙トレイが、装着口から完全に抜けてしまって、オペレ−タの足等に落下して怪我をする危険や、給紙トレイが破損する等の恐れも増していた。そこで、給紙トレイの先端部に突起形状部を設けて、その突起形状部を装着口の近傍に設けたガイドレール、又は、ガイドレールに設けたコロ等に、一旦、引っ掛けるようにした止め機構が公知である。
図１０乃至１２において、即ち、従来の画像形成装置の複写機、ファクシミリ装置、プリンタ等における転写用紙供給装置の引出し装置１００は、被転写体（Ｐ）の転写用紙を載置する給紙トレイ１０１の、給紙トレイ装着口１０２からの抜け止め機構として、左右に配置された両ガイドレール１０３で支持されて案内される給紙トレイ１０１の先端部に形成された突起形状の突起形状部１０１ａが給紙トレイ装着口１０２の近傍の左右に配置された両ガイドレール１０３に回転自在に配置されたコロ１０３ａに引っ掛かるようになっている（図１０と図１２を参照）。
給紙トレイ１０１を給紙トレイ装着口１０２から完全に引き抜く場合には、給紙トレイ１０１を取っ手１０１ｂ方向に引き出して、突起形状部１０１ａをコロ１０３ａに引っ掛けた後に、給紙トレイ１０１の取っ手１０１ｂ側を上方向に持ち上げ斜めにすると、突起形状部１０１ａがコロ１０３ａを乗り越えて突き当て解除となり、完全に引き抜き出せるようになっている（図１１と図１２を参照）。
【０００３】
然しながら、例えば、特に、収納する転写用紙が大容量化した給紙バンク等における、最下段の給紙トレイ１０１を操作する場合、オペレ−タの体勢として給紙トレイ１０１の取っ手１０１ｂに上から手を掛けた状態での引き出し動作となり、突起形状部１０１ａとコロ１０３ａの突き当てが甘くなる可能性があり、給紙トレイ１０１が給紙トレイ装着口１０２から完全に抜けてしまって、オペレ−タの足等に落下して怪我をする危険や、給紙トレイ１０１が破損する等の恐れがあった。
そこで、ガイドレ−ル上側に下向きのストッパ、給紙トレイ側にはそのストッパと係合する突起を設けることで、トレイ引出し時は自重でストッパと突起の係合が強くなり自然に外れることを防止することも公知である（特開平５−７３５号公報を参照）。
然し、トレイ引出し時は自重でストッパと突起の係合が強くなり自然に外れる、所謂、うっかり抜けを防止することが出来ても、転写用紙が大量に収納したジャム発生時等にトレイの引き抜く時等には、トレイを上方に大きく傾ける強い力やそのための新たな工具等が必要となり着脱が困難であった。
従って、従来の引き出し装置、及び、その引き出し装置を具備する給送装置、並びに、画像形成装置においては、引き出し操作でのトレイが装着口から完全に抜けてしまってオペレ−タの足等に落下して怪我をする危険やトレイが破損する等の恐れがあったり、トレイの引き抜き時等のトレイを上方に大きく傾ける強い力やそのための新たな工具等が必要となり着脱の作業も困難になると言う不具合が生じていた。
【特許文献１】特開平５−７３５号公報
【０００４】
【発明が解決しようとする課題】
従来の引き出し装置、及び、その引き出し装置を具備する給送装置、並びに、画像形成装置においては、引き出し操作でのトレイが装着口から完全に抜けてしまって、オペレ−タの足等に落下して怪我をする危険や、トレイが破損する等の恐れがあったり、トレイの引き抜き時等のトレイを上方に大きく傾ける強い力やそのための新たな工具等が必要となり、着脱の作業が困難であると言う問題が発生していた。
そこで本発明の課題は、このような問題点を解決するものである。即ち、トレイの引き出し操作でのトレイ脱落を確実に防止して、引き抜き時の着脱が容易に行われる引き出し装置及びその引き出し装置を具備する給送装置並びに画像形成装置を提供することを目的とする。
【０００５】
【課題を解決するための手段】
上記目的を達成するために、請求項１の本発明は、被載置体を載置して装置本体から引き出しが可能な引き出し装置において、被載置体を載置する引き出しが可能なトレイと、上記トレイを装着する装着口と、上記装着口から装着された上記トレイを引き出し方向に案内する固定された案内部材と、上記案内部材の内側面に形成された上記トレイの抜け止めをする案内溝とからなる引き出し装置であることを最も主要な特徴とする。
請求項２の本発明は、請求項１に記載の引き出し装置において、トレイは、被載置体を載置する載置部材と、上記載置部材の側壁部に一体的に固定された脚部材とからなる引き出し装置であることを主要な特徴とする。
請求項３の本発明は、請求項２に記載の引き出し装置において、脚部材は、上面の先端部側に突出して回動自在のコロ部材とからなる引き出し装置であることを主要な特徴とする。
請求項４の本発明は、請求項２又は３に記載の引き出し装置において、脚部材は、側面の先端部側に凸形状の突起部とからなる引き出し装置であることを主要な特徴とする。
請求項５の本発明は、請求項４に記載の引き出し装置において、突起部は、脚部材と一体成型された凸形状である引き出し装置であることを主要な特徴とする。
請求項６の本発明は、請求項４に記載の引き出し装置において、突起部は、脚部材の上面の先端部側に突出して回動自在のコロ部材を支持する支持軸の端部である引き出し装置であることを主要な特徴とする。
請求項７の本発明は、請求項１、２、３、４、５又は６に記載の引き出し装置において、案内部材は、トレイの脚部材の上面側を案内する上面案内部材とからなる引き出し装置であることを主要な特徴とする。
請求項８の本発明は、請求項１、２、３、４、５、６又は７に記載の引き出し装置において、案内部材は、トレイの脚部材の下面を支持して案内する下面支持案内部材とからなる引き出し装置であることを主要な特徴とする。
請求項９の本発明は、請求項１、２、３、４、５、６、７又は８に記載の引き出し装置において、案内部材は、装着口の内側に回動自在のコロ部材とからなる引き出し装置であることを主要な特徴とする。
【０００６】
請求項１０の本発明は、請求項１、２、３、４、５、６、７、８又は９に記載の引き出し装置において、案内溝は、トレイの抜け止めをする下方向に屈曲する突き当て部とからなる引き出し装置であることを主要な特徴とする。
請求項１１の本発明は、請求項１、２、３、４、５、６、７、８、９又は１０に記載の引き出し装置において、案内溝は、装着口側から奥側の下斜め方向に後退してトレイの抜け止めを解除するスイッチバック軌道形状のスイッチバック軌道形状部とからなる引き出し装置であることを主要な特徴とする。
請求項１２の本発明は、請求項１乃至１１の何れか一項に記載の引き出し装置において、案内溝は、トレイを上斜め方向の装着口から引き出す引き出し形状部とからなる引き出し装置であることを主要な特徴とする。
請求項１３の本発明は、請求項１２に記載の引き出し装置において、引き出し形状部は、再度の突き当て部とからなる引き出し装置であることを主要な特徴とする。
請求項１４の本発明は、載置された被転写体を分離して給送する給送装置において、被転写体を積載して収納する収納部と、上記収納部に装着する請求項１乃至１３の何れか一項に記載の引き出し装置と、上記引き出し装置に載置された被転写体を分離して１枚ずつ給送する分離手段と、上記分離手段で１枚ずつに分離された被転写体を搬送して排出する搬送手段とからなる給送装置であることを最も主要な特徴とする。
請求項１５の本発明は、請求項１４に記載の給送装置において、収納部は、複数の引き出し装置を装着する給送装置であることを主要な特徴とする。
請求項１６の本発明は、載置して給送した被転写体にトナー画像を形成する画像形成装置において、トナー画像を形成するトナー画像形成手段と、上記トナー画像形成手段で形成したトナー画像を転写する被転写体を載置して給送する被転写体給送部と、上記被転写体給送部に装着する請求項１乃至１３の何れか一項に記載の引き出し装置とからなる画像形成装置であることを最も主要な特徴とする。
請求項１７の本発明は、請求項１６に記載の画像形成装置において、被転写体給送部は、複数の引き出し装置を装着する画像形成装置であることを主要な特徴とする。
【０００７】
【作用】
上記のように構成された引き出し装置及びその引き出し装置を具備する給送装置並びに画像形成装置は、請求項１においては、被載置体を載置する引き出しが可能なトレイを、装着口から装着されたトレイを引き出し方向に案内する固定された案内部材の内側面に形成された案内溝によって、トレイの抜け止めをする。請求項２においては、被載置体を載置する引き出しが可能な被載置体を載置する載置部材と載置部材の側壁部に一体的に固定された脚部材とからなるトレイを、装着口から装着されたトレイを引き出し方向に案内する固定された案内部材の内側面に形成された案内溝によって、トレイの抜け止めをする。
請求項３においては、被載置体を載置する引き出しが可能な被載置体を載置する載置部材と載置部材の側壁部に一体的に固定された脚部材とからなるトレイを、装着口から装着されたトレイを引き出し方向に案内する固定された案内部材の内側面に形成された案内溝によって、トレイの抜け止めをすると共に脚部材の上面の先端部側に突出して回動自在のコロ部材を配置する。
請求項４においては、被載置体を載置する引き出しが可能な被載置体を載置する載置部材と載置部材の側壁部に一体的に固定された脚部材とからなるトレイを、装着口から装着されたトレイを引き出し方向に案内する固定された案内部材の内側面に形成された案内溝によって、トレイの抜け止めをすると共に脚部材の側面の先端部側に凸形状の突起部を設ける。
請求項５においては、被載置体を載置する引き出しが可能な被載置体を載置する載置部材と載置部材の側壁部に一体的に固定された脚部材とからなるトレイを、装着口から装着されたトレイを引き出し方向に案内する固定された案内部材の内側面に形成された案内溝によって、トレイの抜け止めをすると共に脚部材の側面の先端部側に脚部材と一体成型された凸形状の突起部を設ける。
【０００８】
請求項６においては、被載置体を載置する引き出しが可能な被載置体を載置する載置部材と載置部材の側壁部に一体的に固定された脚部材とからなるトレイを、装着口から装着されたトレイを引き出し方向に案内する固定された案内部材の内側面に形成された案内溝によって、トレイの抜け止めをすると共に脚部材の側面の先端部側に凸形状の突起部を脚部材の上面の先端部側に突出して回動自在のコロ部材を支持する支持軸の端部と兼用する。
請求項７においては、被載置体を載置する引き出しが可能なトレイを、装着口から装着されたトレイを引き出し方向に案内する固定された案内部材の内側面に形成された案内溝によって、トレイの抜け止めをすると共に案内部材は上面案内部材でトレイの脚部材の上面側を案内する。
請求項８においては、被載置体を載置する引き出しが可能なトレイを、装着口から装着されたトレイを引き出し方向に案内する固定された案内部材の内側面に形成された案内溝によって、トレイの抜け止めをすると共に案内部材は下面支持案内部材でトレイの脚部材の下面を支持して案内する。
請求項９においては、被載置体を載置する引き出しが可能なトレイを、装着口から装着されたトレイを引き出し方向に案内する固定された案内部材の内側面に形成された案内溝によって、トレイの抜け止めをすると共に案内部材の装着口の内側に回動自在のコロ部材を配置する。
請求項１０においては、被載置体を載置する引き出しが可能なトレイを、装着口から装着されたトレイを引き出し方向に案内する固定された案内部材の内側面に形成された案内溝の下方向に屈曲する突き当て部によって、トレイの抜け止めをする。
請求項１１においては、被載置体を載置する引き出しが可能なトレイを、装着口から装着されたトレイを引き出し方向に案内する固定された案内部材の内側面に形成された案内溝の装着口側から奥側の下斜め方向に後退してトレイの抜け止めを解除するスイッチバック軌道形状部によって、トレイの抜け止めをする。
【０００９】
請求項１２においては、被載置体を載置する引き出しが可能なトレイを、装着口から装着されたトレイを引き出し方向に案内する固定された案内部材の内側面に形成された案内溝によって、トレイの抜け止めをすると共に案内溝の引き出し形状部はトレイを上斜め方向の装着口から引き出す。
請求項１３においては、被載置体を載置する引き出しが可能なトレイを、装着口から装着されたトレイを引き出し方向に案内する固定された案内部材の内側面に形成された案内溝によって、トレイの抜け止めをすると共に案内溝の引き出し形状部はトレイを上斜め方向の装着口から再度の突き当て部に再度の突き当てを行ってから引き出す。
請求項１４においては、被転写体を積載して収納する収納部に装着する請求項１乃至１３の何れか一項に記載の引き出し装置に載置された被転写体を分離して１枚ずつ給送する分離手段で１枚ずつに分離された被転写体を、搬送手段によって、搬送して排出する。
請求項１５においては、被転写体を積載して収納する収納部に装着する請求項１乃至１３の何れか一項に記載の複数の引き出し装置に載置された被転写体を分離して１枚ずつ給送する分離手段で１枚ずつに分離された被転写体を、搬送手段によって、搬送して排出する。
請求項１６においては、トナー画像を形成するトナー画像形成手段で形成したトナー画像を転写する被転写体を、被転写体給送部に装着する請求項１乃至１３の何れか一項に記載の引き出し装置によって、載置して給送する。
請求項１７においては、トナー画像を形成するトナー画像形成手段で形成したトナー画像を転写する被転写体を、被転写体給送部に装着する請求項１乃至１３の何れか一項に記載の複数の引き出し装置によって、載置して給送する。
【００１０】
【発明の実施の形態】
次に、本発明の実施の形態を図面を参照して詳細に説明する。
図１において、被載置体を載置して装置本体から引き出しが可能な引き出し装置０は、被載置体（Ｐ）の被転写体としての転写用紙等を載置する図示の矢印（Ａ）方向の引き出し方向に引き出しが可能なトレイ１と、上記トレイ１を装着する装着口２と、上記装着口２から装着された上記トレイ１を図示の矢印（Ａ）方向の引き出し方向に案内する固定された案内部材３と、上記案内部材３の内側面に上記トレイ１の抜け止めをする案内溝４とからなり、上記トレイ１の図示の矢印（Ａ）方向への引き出し操作でのトレイ脱落を確実に防止して、上記トレイ１の引き抜き時の着脱が容易に行われる。
【００１１】
図２において、上記トレイ１は、被載置体（Ｐ）を載置する載置部材１ａと、上記載置部材１ａの側壁部に一体的に固定された脚部材１ｂとからなり、上記載置部材１ａには引き出し操作や引き抜き時の着脱用の取っ手１ｅが配置されている簡単な構成となっている。
更に、上記脚部材１ｂは、図示の上面の先端部側に突出して回動自在のコロ部材１ｃと、図示の側面の先端部側に設けた簡単な構成の凸形状の突起部１ｄと図示の下面の先端部側に設けた突起形状の突起形状部１ｆとからなり、上記トレイ１の図示の矢印（Ａ）方向への引き出し動作が円滑に行われる上記引き出し装置０を提供することが出来るようになっている（図１を参照）。
上記突起部１ｄは、上記脚部材１ｂと凸形状に一体成型することで、又は、上記脚部材１ｂの上面の先端部側に突出して回動自在の上記コロ部材１ｃを支持する支持軸１ｃ１の端部１ｃ１１と兼用することで低コストの上記引き出し装置０を提供することが出来る。
【００１２】
図３において、上記案内部材３は、上記脚部材１ｂの上面側を案内する上面案内部材３ａと、上記脚部材１ｂの下面を支持して案内する下面支持案内部材３ｂと、上記装着口２の内側に回動自在に支持されたコロ部材５とからなり、上記トレイ１の図示の矢印（Ａ）方向への引き出し動作が上面を案内、又は、下面を支持案内して行われるようになっている（図１を参照）。
上記案内部材３の内側面に形成された上記トレイ１の抜け止めをする上記案内溝４は、上記トレイ１の抜け止めをする図示の矢印（Ｂ）方向の下方向に屈曲する突き当て部４ａと、上記装着口２側から図示の矢印（Ｃ）方向の奥側の下斜め方向に後退して上記トレイ１の抜け止めを解除するスイッチバック軌道形状のスイッチバック軌道形状部４ｂと、上記トレイ１を図示の矢印（Ｄ）方向の上斜め方向の上記装着口２から引き出す引き出し形状部４ｃと、上記トレイ１を再度突き当てる再度の突き当て部４ｃ１が連結して形成されている。
従って、上記トレイ１の引き出し時の挙動を、上記案内溝４の上記突き当て部４ａにて確実に規制でき、上記トレイ１を引き抜き取り外し時には自重により下がった上記取っ手１ｅ側を持ち上げ気味に傾けて、先端の奥側に少し戻すことで、この際に、上記取っ手１ｅで、多少、上記トレイ１を持ち上げ気味にしても、引き抜き側の経路にしないために、誤操作による上記トレイ１の抜けは防止され、上記スイッチバック軌道形状部４ｂにより上記トレイ１の抜け止めを解除でき、上記引き出し形状部４ｃで上記装着口２から、上記再度の突き当て部４ｃ１で再度の突き当てを行って容易に引き抜くことができるが、このように意図的な操作なくしては、上記トレイ１が抜けないから、更に、確実に安全で、トレイ脱落を確実に防止して、引き抜き時の着脱も容易に行われるが、意図的な操作なくしてはトレイが抜けない上記引き出し装置０を提供することが出来るようになった。
【００１３】
図４において、上記引き出し装置０の基本構成は、被載置体（Ｐ）を載置する上記載置部材１ａの両側壁部に一体的に固定された上記脚部材１ｂに上記コロ部材１ｃと上記突起部１ｄと上記取っ手１ｅと上記突起形状部１ｆを配置した上記トレイ１に、上記上面案内部材３ａと上記下面支持案内部材３ｂと上記案内溝４と回転自在の上記コロ部材５とを有する上記案内部材３を図示の矢印（Ｅ）と図示の矢印（Ｆ）の左右側方向から組合せで形成されている。
通常の上記トレイ１のスライド動作では、上記案内部材３の上記上面案内部材３ａ、又は、上記下面支持案内部材３ｂに対し、上記トレイ１の上記コロ部材１ｃ、又は、上記突起形状部１ｆが接触し案内されている。
上記トレイ１のスライド動作の摺動性は、上記案内部材３の上記コロ部材５にて、上記トレイ１の両上記脚部材１ｂの下面１ｂ１を支持することで滑らかに行われるようになっている。
【００１４】
図５乃至７図において、上記トレイ１の図示の矢印（Ａ）方向への引き出し動作のストッパは、上記案内溝４の上記突き当て部４ａの折り返し形状で行っており、そのままの直線方向には抜けない構造になっている（図５を参照）。
上記トレイ１を引き抜くには、軽く上記トレイ１を図示の矢印（Ｇ）方向の上方向に持ち上げながら図示の矢印（Ｃ）方向への一度閉める方向に押し戻すことで、上記突起部１ｄを上記案内溝４の別経路の上記スイッチバック軌道形状部４ｂに案内する（図６を参照）。
そこで、上記トレイ１を図示の矢印（Ｄ）方向の上記案内溝４の上記引き出し形状部４ｃから、上記再度の突き当て部４ｃ１に再度突き当てた後に、上記トレイ１を図示の矢印（Ｈ）方向の手前方向に引き出すと、上記トレイ１が、更に、安全で容易に抜き取り、外せる構造となっている（図７を参照）。
従って、上記トレイ１の引き出し時には、上記装着口２から容易に引き出すことができるが、上記トレイ１の引き出し時の挙動を規制して、意図的な操作なくしては、上記トレイ１が抜けることがなく安全で、トレイ脱落を確実に防止して、引き抜き時の着脱も容易に行われる上記引き出し装置０を提供することが出来るようになった。
【００１５】
図８において、給送装置１０は、被転写体（Ｐ）の用紙等を積載して収納する収納部１１と、上記収納部１１に３段に装着した請求項１乃至１３の何れか一項に記載の複数個の上記引き出し装置０と、上記引き出し装置０に載置された被転写体（Ｐ）の用紙等を分離して１枚ずつ給送する分離手段１２の図示しない駆動源で図示の矢印（Ｉ）方向に回動する分離コロと、上記分離手段１２の分離コロ１２ａで１枚ずつに分離された被転写体（Ｐ）の用紙等を搬送して排出する搬送手段１３の搬送ローラ１３ａで搬送路１３ｂ内を搬送されて排出する排出口１３ｃとからなり、載置された被転写体（Ｐ）の用紙等を分離して給送するようになっている。
従って、複数の上記引き出し装置０を装着して多量の被転写体（Ｐ）の用紙等が載置されても、上記トレイ１の引き出し操作でのトレイ脱落を確実に防止して、引き抜き時の着脱が容易に行われて、被転写体（Ｐ）の用紙等を分離して給送する上記給送装置１０を提供することが出来るようになった。
【００１６】
図９において、上記画像形成装置２０は、トナー画像を形成するトナー画像形成手段２１と、上記トナー画像形成手段２１で形成したトナー画像を転写する被転写体（Ｐ）の転写用紙等を載置して給送する被転写体給送部２２と、上記被転写体給送部２２に３段に装着する請求項１乃至１３の何れか一項に記載の複数個の上記引き出し装置０とからなり、複数の上記引き出し装置０を装着して多量の被転写体（Ｐ）の転写用紙等が載置されても、上記トレイ１の引き出し操作でのトレイ脱落を確実に防止して、引き抜き時の着脱が容易に行われて、載置して給送した被転写体（Ｐ）の転写用紙等にトナー画像を形成するようになっている。上記トナー画像形成手段２１の上部には、原稿（０）の原稿画像を読み取る原稿画像読み取り手段２１ａのスキャナ２１ａ１と自動原稿供給装置（ＡＤＦ）２１ａ２が配置されている。
トナー画像が形成される被転写体（Ｐ）の転写用紙の搬送経路は、図示の太線で図示の様になっており、上記被転写体給送部２２に３段に装着した上記引き出し装置０から送り出され、上記トナー画像形成手段２１で画像データによるトナー画像が形成された後に、所定の経路を通って排出されるようになっている。
上記トナー画像形成手段２１は、上記原稿画像読み取り手段２１ａの上記スキャナ２１ａ１と上記自動原稿供給装置（ＡＤＦ）２１ａ２で原稿（０）の原稿画像の画像データを読み取り、その画像データでトナー画像を形成する電子写真方法による、書込部２１ｂのレーザーダイオードを発光させることにより、均一に帯電された像担持体２１ｃのドラム形状の感光体ドラム上に静電潜像を形成し、現像部２１ｄでトナー像を形成し、そのトナー画像を転写部２１ｅで被転写体（Ｐ）の転写用紙に転写し、定着部２１ｆにて加熱・加圧後に、排紙ローラ２１ｇによりトナー画像が形成された被転写体（Ｐ）の転写用紙を排紙トレイ２１ｈへ送り出して収納されるようになっている。
又、両面部２１ｉを経由する事により、被転写体（Ｐ）の転写用紙の裏面への画像形成も可能となっている。
従って、複数の上記引き出し装置０を装着して多量の被転写体（Ｐ）の転写用紙等が載置されても、上記トレイ１の引き出し操作でのトレイ脱落を確実に防止して、引き抜き時の着脱が容易に行われて、載置して給送した被転写体（Ｐ）の転写用紙にトナー画像を形成する上記画像形成装置２０を提供することが出来るようになった。
【００１７】
【発明の効果】
本発明は、以上説明したように構成されているので、請求項１の発明によれば、トレイの引き出し操作でのトレイ脱落を確実に防止して、引き抜き時の着脱が容易に行われる引き出し装置を提供することが出来るようになった。
請求項２の発明によれば、簡単な構成で、トレイの引き出し操作でのトレイ脱落を確実に防止して、引き抜き時の着脱が容易に行われる引き出し装置を提供することが出来るようになった。
請求項３の発明によれば、簡単な構成で、引き出し動作が円滑に行われ、トレイの引き出し操作でのトレイ脱落を確実に防止して、引き抜き時の着脱が容易に行われる引き出し装置を提供することが出来るようになった。
請求項４の発明によれば、更に簡単な構成で、トレイの引き出し操作でのトレイ脱落を確実に防止して、引き抜き時の着脱が容易に行われる引き出し装置を提供することが出来るようになった。
請求項５の発明によれば、更に簡単な構成で、一体成型で、トレイの引き出し操作でのトレイ脱落を確実に防止して、引き抜き時の着脱が容易に行われる低コストの引き出し装置を提供することが出来るようになった。
請求項６の発明によれば、更に簡単な構成で、兼用で部品数が少なくなり、トレイの引き出し操作でのトレイ脱落を確実に防止して、引き抜き時の着脱が容易に行われる低コストの引き出し装置を提供することが出来るようになった。
請求項７の発明によれば、上面側を案内されるトレイの引き出し操作でのトレイ脱落を確実に防止して、引き抜き時の着脱が容易に行われる引き出し装置を提供することが出来るようになった。
【００１８】
請求項８の発明によれば、下面を支持して案内されるトレイの引き出し操作でのトレイ脱落を確実に防止して、引き抜き時の着脱が容易に行われる引き出し装置を提供することが出来るようになった。
請求項９の発明によれば、滑らかに行われるトレイの引き出し操作でのトレイ脱落を確実に防止して、引き抜き時の着脱が容易に行われる引き出し装置を提供することが出来るようになった。
請求項１０の発明によれば、引き出し時の挙動を確実に規制して、トレイの引き出し操作でのトレイ脱落を確実に防止して、引き抜き時の着脱が容易に行われる引き出し装置を提供することが出来るようになった。
請求項１１の発明によれば、トレイの引き出し操作でのトレイ脱落を確実に防止して、誤操作によるトレイの抜けは防止され、引き抜き時の着脱が容易に行われる引き出し装置を提供することが出来るようになった。
請求項１２の発明によれば、トレイの引き出し操作でのトレイ脱落を確実に防止して、引き抜き時の着脱が更に容易に行われる引き出し装置を提供することが出来るようになった。
請求項１３の発明によれば、トレイの引き出し操作でのトレイ脱落を確実に防止して、引き抜き時の着脱が更に容易に行われるが、意図的な操作なくしてはトレイが抜けない引き出し装置を提供することが出来るようになった。
請求項１４の発明によれば、引き出し装置を装着して多量の被転写体の用紙等が載置されても、トレイの引き出し操作でのトレイ脱落を確実に防止して、引き抜き時の着脱が容易に行われて、被転写体の用紙等を分離して給送する給送装置を提供することが出来るようになった。
請求項１５の発明によれば、複数の引き出し装置を装着して多量の被転写体の用紙等が載置されても、トレイの引き出し操作でのトレイ脱落を確実に防止して、引き抜き時の着脱が容易に行われて、被転写体の用紙等を分離して給送する給送装置を提供することが出来るようになった。
請求項１６の発明によれば、引き出し装置を装着して多量の被転写体の転写用紙等が載置されても、トレイ１の引き出し操作でのトレイ脱落を確実に防止して、引き抜き時の着脱が容易に行われて、載置して給送した被転写体の転写用紙等にトナー画像を形成する画像形成装置を提供することが出来るようになった。
請求項１７の発明によれば、複数の引き出し装置を装着して多量の被転写体の転写用紙等が載置されても、トレイの引き出し操作でのトレイ脱落を確実に防止して、引き抜き時の着脱が容易に行われて、載置して給送した被転写体の転写用紙等にトナー画像を形成する画像形成装置を提供することが出来るようになった。
【図面の簡単な説明】
【図１】本発明の実施の形態例を示す引き出し装置を説明する説明図である。
【図２】本発明の実施の形態例を示す引き出し装置の主要部を説明する説明図である。
【図３】本発明の実施の形態例を示す引き出し装置の他の主要部を説明する説明図である。
【図４】本発明の実施の形態例を示す引き出し装置の他の主要部を説明する展開図である。
【図５】本発明の実施の形態例を示す引き出し装置の他の主要部の状態を説明する説明図である。
【図６】本発明の実施の形態例を示す引き出し装置の他の主要部の他の状態を説明する説明図である。
【図７】本発明の実施の形態例を示す引き出し装置の他の主要部の他の状態を説明する説明図である。
【図８】本発明の実施の形態例を示す引き出し装置を具備する給送装置を説明する説明図である。
【図９】本発明の実施の形態例を示す引き出し装置を具備する画像形成装置を説明する説明図である。
【図１０】従来の引き出し装置の主要部の状態を説明する説明図である。
【図１１】従来の引き出し装置の主要部の他の状態を説明する説明図である。
【図１２】従来の引き出し装置の他の主要部を説明する展開図である。
【符号の説明】
０　引き出し装置
１　トレイ、１ａ　載置部材、
１ｂ　脚部材、１ｂ１　下面、
１ｃ　コロ部材、１ｃ１　支持軸、
１ｃ１１　端部、
１ｄ　突起部、
１ｅ　取っ手、
１ｆ　突起形状部
２　装着口
３　案内部材、３ａ　上面案内部材、
３ｂ　下面支持案内部材
４　案内溝、４ａ　突き当て部、
４ｂ　スイッチバック軌道形状部、
４ｃ　引き出し形状部、４ｃ１　再度の突き当て部
５　コロ部材
１０　給送装置
１１　収納部
１２　分離手段、１２ａ　分離コロ
１３　搬送手段、１３ａ　搬送ローラ、
１３ｂ　搬送路、
１３ｃ　排出口
２０　画像形成装置、
２１　トナー画像形成手段、２１ａ　原稿画像読み取り手段、
２１ａ１　スキャナ、
２１ａ２　自動原稿供給装置（ＡＤＦ）、
２１ｂ　書込部、
２１ｃ　像担持体、
２１ｄ　現像部、
２１ｅ　転写部、
２１ｆ　定着部、
２１ｇ　排紙ローラ、
２１ｈ　排紙トレイ、
２１ｉ　両面部
２２　被転写体給送部
１００　引き出し装置
１０１　給紙トレイ、１０１ａ　突起形状部、
１０１ｂ　取っ手
１０２　給紙トレイ装着口
１０３　ガイドレール、１０３ａ　コロ
【図１】
2004131211.tif 000003
【図２】
2004131211.tif 000004
【図３】
2004131211.tif 000005
【図４】
2004131211.tif 000006
【図５】
2004131211.tif 000007
【図６】
2004131211.tif 000008
【図７】
2004131211.tif 000009
【図８】
2004131211.tif 000010
【図９】
2004131211.tif 000011
【図１０】
2004131211.tif 000012
【図１１】
2004131211.tif 000013
【図１２】
2004131211.tif 000014